(57)【要約】【課題】解錠番号を忘れた場合でも、容易に非常解錠することができる解錠番号が組み替え可能なダイヤル錠装置を提供すること。【解決手段】開扉に取り付けられ、スライドすることにより固定側の受部Ｓに係脱するカムプレート１と、このカムプレート１のスライドを許容又は規制する解錠番号が組み替え可能なダイヤル錠２とを備えたダイヤル錠装置において、カムプレート１を、鍵操作により回動する錠機構３の筒状体３１に配設し、筒状体３１の回動により固定側の受部Ｓに係脱するようにしてする。【選択図】図１
2007217867.tif 000002
【特許請求の範囲】
【請求項１】
開扉に取り付けられ、スライドすることにより固定側の受部に係脱するカムプレートと、該カムプレートのスライドを許容又は規制する解錠番号が組み替え可能なダイヤル錠とを備えたダイヤル錠装置において、前記カムプレートを、鍵操作により回動する錠機構の筒状体に配設し、該筒状体の回動により固定側の受部に係脱するようにしたことを特徴とするダイヤル錠装置。
【請求項２】
前記ダイヤル錠が、軸方向に移動することによりカムプレートのスライドを許容するキー付きロッドと、該ロッドに回動可能に外嵌された複数のキー溝付き内筒と、該内筒に外嵌された複数のダイヤルリングと、内筒とダイヤルリングをそれらの軸方向の変位により係脱するクラッチとを備えたことを特徴とする請求項１記載のダイヤル錠装置。
【請求項３】
内筒に、内筒が解錠位置にある状態でダイヤル錠装置の裏側から視認できる印を設けたことを特徴とする請求項１又は２記載のダイヤル錠装置。
【発明の詳細な説明】
【技術分野】
【０００１】
本発明は、解錠番号が組み替え可能なダイヤル錠装置に関し、特に、解錠番号を忘れた場合でも、容易に非常解錠することができるダイヤル錠装置に関するものである。
【背景技術】
【０００２】
錠前に備えたダイヤルリングを解錠位置に合わせて解錠する番号合わせ式のダイヤル錠が汎用されている。
この種のダイヤル錠は、数段のダイヤルリングをそれぞれ回動自在に設け、予め定めた番号時のみ解錠するようになっているが、解錠番号は予め工場での製作時に定められ、この番号を後で変更することはできない。
【０００３】
そこで、ロッカーや貸金庫などでは、利用者がその都度、任意に解錠番号を組み替えて設定できるようなダイヤル錠装置が使用されている。
この種のダイヤル錠装置は、例えば、スライドすることにより固定側の受部に係脱するカムプレートと、軸方向に移動することによりカムプレートのスライドを許容するキー付きロッドと、該ロッドに回動可能に外嵌された複数のキー溝付き内筒と、該内筒に外嵌された複数のダイヤルリングと、内筒とダイヤルリングをそれらの軸方向の変位により係脱するクラッチとを備えている。
すなわち、このダイヤル錠装置は、ロッドと内筒のキーが一致する解錠状態で内筒を軸方向にずらせ、この状態でダイヤルリングを空転させて任意の番号をセットし、次いで、内筒を復帰させてダイヤルリングと係合させると、このセットした番号が解錠番号とすることができる。
【０００４】
しかしながら、このようなダイヤル錠装置では、利用者が任意に解錠番号を組み替えて設定できるという利便性に優れる反面、設定した解錠番号を忘れてしまうことがあり、解錠番号が解らなくなるとダイヤル錠装置を解錠できなくなるという問題があった。
【発明の開示】
【発明が解決しようとする課題】
【０００５】
本発明は、上記従来のダイヤル錠装置が有する問題点に鑑み、解錠番号を忘れた場合でも、容易に非常解錠することができる解錠番号が組み替え可能なダイヤル錠装置を提供することを目的とする。
【課題を解決するための手段】
【０００６】
上記目的を達成するため、本発明のダイヤル錠装置は、開扉に取り付けられ、スライドすることにより固定側の受部に係脱するカムプレートと、該カムプレートのスライドを許容又は規制する解錠番号が組み替え可能なダイヤル錠とを備えたダイヤル錠装置において、前記カムプレートを、鍵操作により回動する錠機構の筒状体に配設し、該筒状体の回動により固定側の受部に係脱するようにしたことを特徴とする。
【０００７】
この場合において、前記ダイヤル錠が、軸方向に移動することによりカムプレートのスライドを許容するキー付きロッドと、該ロッドに回動可能に外嵌された複数のキー溝付き内筒と、該内筒に外嵌された複数のダイヤルリングと、内筒とダイヤルリングをそれらの軸方向の変位により係脱するクラッチとを備えることができる。
【０００８】
また、内筒に、内筒が解錠位置にある状態でダイヤル錠装置の裏側から視認できる印を設けることができる。
【発明の効果】
【０００９】
本発明のダイヤル錠装置によれば、開扉に取り付けられ、スライドすることにより固定側の受部に係脱するカムプレートと、該カムプレートのスライドを許容又は規制する解錠番号が組み替え可能なダイヤル錠とを備えたダイヤル錠装置において、前記カムプレートを、鍵操作により回動する錠機構の筒状体に配設し、該筒状体の回動により固定側の受部に係脱するようにしたことから、解錠番号を忘れてカムプレートをスライドさせることができなくなっても、錠機構を鍵操作することによりカムプレートを揺動させて容易に非常解錠することができる。
【００１０】
また、前記ダイヤル錠が、軸方向に移動することによりカムプレートのスライドを許容するキー付きロッドと、該ロッドに回動可能に外嵌された複数のキー溝付き内筒と、該内筒に外嵌された複数のダイヤルリングと、内筒とダイヤルリングをそれらの軸方向の変位により係脱するクラッチとを備えることにより、ロッドと内筒のキーが一致する解錠状態で内筒を軸方向にずらせ、この状態でダイヤルリングを空転させて任意の番号をセットし、次いで、内筒を復帰させてダイヤルリングと係合させることにより、このセットした番号を解錠番号とすることができる。
【００１１】
また、内筒に、内筒が解錠位置にある状態でダイヤル錠装置の裏側から視認できる印を設けることにより、非常解錠した後で、内筒を回しながら視認印を解錠位置に揃えることにより、忘れた解錠番号を確認することができる。
【発明を実施するための最良の形態】
【００１２】
以下、本発明のダイヤル錠装置の実施の形態を、図面に基づいて説明する。
【実施例１】
【００１３】
図１〜図５に、本発明のダイヤル錠装置の一実施例を示す。
このダイヤル錠装置は、ロッカーや貸金庫等の開扉の可動側に取り付けられ、スライドすることにより固定側の受部Ｓに係脱するカムプレート１と、該カムプレート１のスライドを許容又は規制する解錠番号が組み替え可能なダイヤル錠２とを備えている。
そして、このダイヤル錠装置は、前記カムプレート１を、鍵操作により回動するシリンダ錠等の錠機構３の筒状体３１に配設し、該筒状体３１の回動により固定側の受部Ｓに係脱するようにしている。
【００１４】
ダイヤル錠２は、利用者が任意に解錠番号を組み替えて設定できるダイヤル錠であり、図３に示すように、軸方向に移動することによりカムプレート１のスライドを許容するキー付きロッド４と、該ロッド４に回動可能に外嵌された４つのキー溝付き内筒５と、該内筒５に外嵌された４つのダイヤルリング６と、内筒５とダイヤルリング６をそれらの軸方向の変位により係脱するクラッチ７とを備えている。
【００１５】
ロッド４は、錠ケース８の内部にスライド可能に配設されており、図３に示すように、キー４１が設けられた位置には、内筒５が回動可能に外嵌されている。内筒５には、錠ケース８のリング窓８１に一部が嵌合したダイヤルリング６が外嵌されている。
このロッド４は、各ダイヤルリング６を回し、内筒５のキー溝５１がロッド４のキー４１に一致した状態でスライド可能となり、ダイヤル錠装置のレバー９と連動する押し片９１の移動を許容して、同じくレバー９と連動するカムプレート１のスライドを許容する解錠状態となる（図３（ａ）参照）。
なお、ロッド４のキー４１は、通常は、後述する内筒頭部５２に内設された大径穴５３に収容されており、これにより、内筒５は、キー４１に阻止されることなく回動することができる。
また、ロッド４は、ばね４２によって押し片９１側に付勢されている。
【００１６】
内筒５は、図３に示すように大径の頭部５２を有し、この頭部５２が掛止するようにダイヤルリング６に嵌挿されている。また、嵌挿された胴部５４は、右に隣接する内筒５の頭部５２に回動可能に当接している。
胴部５４の頭部側には、クラッチ７の一半をなす複数のクラッチ歯７１が形成されており、ダイヤルリング６の内側にも、クラッチ７の他の一半をなす複数のクラッチ歯７２が形成されている。
また、図５に示すように、内筒５には、内筒５が解錠位置にある状態で、ダイヤル錠装置の裏側から視認できる切欠５５が設けられている。
内筒５は、図３（ａ）に示すように、ロッド４が挿通した状態で、ロッド４のばね４２により右側に付勢されるとともに、錠ケース８に配設されたスリーブ８２で受けることにより位置決めされている。
【００１７】
このスリーブ８２は、図３（ｂ）に示すように、錠ケース８の外側からドライバー等で押し込むことが可能であり、押し込まれたスリーブ８２は、ばね４２に抗して内筒５を押し込み、錠ケース８のリング窓８１で位置決めされるダイヤルリング６に対し、クラッチ７を離脱させる方向に内筒５を変位させる。
なお、同図に示すように、内筒５の押し込みは、キー溝５１がロッド４のキー４１と一致している状態、すなわち解錠状態でないと行われない。この場合、図５に示すように、内筒５の切欠５５を裏カバー８３のスリット８４を介して見ることにより、内筒５が解錠位置にあることを確認することができる。
この状態で、ダイヤルリング６を空転させて任意の番号をセットし、次いで、スリーブ８２を戻し、内筒５を復帰させてダイヤルリング６と係合させると、このセットした番号が解錠番号となる（図２〜図３参照）。
【００１８】
一方、カムプレート１は、鍵操作により回動する錠機構３の筒状体３１に配設されており、該筒状体３１の回動により揺動し、固定側の受部Ｓに係脱される。
錠機構３は、レバー９のベース部９２に一体に設けられており、レバー９と共にスライドする。
錠機構３は、図４（ａ）（ｂ）に示すように、通常はカムプレート１を閉じ位置として、ダイヤル錠２側の操作により解錠と施錠を行うようにする。
そして、解錠番号を忘れるなど解らなくなったときに、図４（ｃ）（ｄ）に示すように、別途保管しておいた鍵（図示省略）を鍵穴３２に差し込んで筒状体３１を回し、カムプレート１を揺動させることにより、非常解錠を行うようにする。
【００１９】
かくして、本実施例のダイヤル錠装置は、開扉の可動側に取り付けられ、スライドすることにより固定側の受部Ｓに係脱するカムプレート１と、該カムプレート１のスライドを許容又は規制する解錠番号が組み替え可能なダイヤル錠２とを備えたダイヤル錠装置において、前記カムプレート１を、鍵操作により回動する錠機構３の筒状体３１に配設し、該筒状体３１の回動により固定側の受部Ｓに係脱するようにしたことから、解錠番号を忘れてカムプレート１をスライドさせることができなくなっても、図４に示すように、錠機構３を鍵操作することによりカムプレート１を揺動させて容易に非常解錠することができる。
【００２０】
この場合、前記ダイヤル錠２が、軸方向に移動することによりカムプレート１のスライドを許容するキー付きロッド４と、該ロッド４に回動可能に外嵌された複数のキー溝付き内筒５と、該内筒５に外嵌された複数のダイヤルリング６と、内筒５とダイヤルリング６をそれらの軸方向の変位により係脱するクラッチ７とを備えることにより、図２〜図３に示すように、ロッド４と内筒５のキーが一致する解錠状態で内筒５を軸方向にずらせ、この状態でダイヤルリング６を空転させて任意の番号をセットし、次いで、内筒５を復帰させてダイヤルリング６と係合させることにより、このセットした番号を解錠番号とすることができる。
【００２１】
また、内筒５に、内筒５が解錠位置にある状態でダイヤル錠装置の裏側から視認できる印を設けることにより、図５に示すように、非常解錠した後で、内筒５を回しながら視認印を解錠位置に揃えることにより、忘れた解錠番号を確認することができる。
【００２２】
以上、本発明のダイヤル錠装置について、その実施例に基づいて説明したが、本発明は上記実施例に記載した構成に限定されるものではなく、実施例に記載した構成を適宜組み合わせるなど、その趣旨を逸脱しない範囲において適宜その構成を変更することができる。
【産業上の利用可能性】
【００２３】
以上、本発明のダイヤル錠装置は、解錠番号を忘れた場合でも、容易に非常解錠することができるという特性を有していることから、例えば、ゴルフ場のロッカーやホテルの貸金庫等に使用する解錠番号が組み替え可能なダイヤル錠装置の用途に好適に用いることができる。
【図面の簡単な説明】
【００２４】
【図１】本発明のダイヤル錠装置の一実施例を示し、（ａ）は施錠状態の正面図、（ｂ）は同平面図、（ｃ）は解錠状態の正面図、（ｄ）は同平面図である。
【図２】同ダイヤル錠装置の内部構造を示し、（ａ）は（上下逆の）背面図、（ｂ）は内筒をスライドさせて解錠番号を設定する状態の（上下逆の）背面図、（ｃ）は（上下逆の）右側面図である。
【図３】ロッドに外嵌した内筒とダイヤルリングを示し、（ａ）は（上下逆の）断面図、（ｂ）は内筒をスライドさせて解錠番号を設定する状態の（上下逆の）断面図である。
【図４】錠機構による解錠を示し、（ａ）は施錠状態の正面図、（ｂ）は同（上下逆の）背面図、（ｃ）は解錠状態の正面図、（ｄ）は同（上下逆の）背面図である。
【図５】忘れた解錠番号の確認方法を示し、（ａ）は確認前の（上下逆の）背面図、（ｂ）は裏カバーを外した確認前の（上下逆の）背面図、（ｃ）は確認状態の（上下逆の）背面図、（ｄ）は裏カバーを外した確認状態の（上下逆の）背面図である。
【符号の説明】
【００２５】
Ｓ    受部
１    カムプレート
２    ダイヤル錠
３    錠機構（シリンダ錠）
３１  筒状体
３２  鍵穴
４    ロッド
４１  キー
４２  ばね
５    内筒
５１  キー溝
５２  頭部
５３  大径穴
５４  胴部
５５  切欠
６    ダイヤルリング
７    クラッチ
７１  クラッチ歯
７２  クラッチ歯
８    錠ケース
８１  リング窓
８２  スリーブ
８３  裏カバー
８４  スリット
９    レバー
９１  押し片
９２  ベース部
【図１】
2007217867.tif 000003
【図２】
2007217867.tif 000004
【図３】
2007217867.tif 000005
【図４】
2007217867.tif 000006
【図５】
2007217867.tif 000007